(57)【特許請求の範囲】
【請求項１】
進化型ノードＢ（ｅＮＢ）から、第１の周波数帯域において、前記ｅＮＢからの下りリンク送信に関連付けられているスケジューリング情報を受信する受信機回路と、
前記受信機回路に接続されている処理回路であって、空きチャネル判定（ＣＣＡ）を実行して、第２の周波数帯域に関連付けられている無線伝送媒体が空いているかどうかを判定し、前記の実行されたＣＣＡ及び前記の受信されたスケジューリング情報に基づく送信許可（ＣＴＳ）メッセージを生成する処理回路と、
前記受信機回路に接続されている送信機回路であって、前記第２の周波数帯域に関連付けられている前記無線伝送媒体を予約するために、前記第２の周波数帯域において、前記の生成されたＣＴＳメッセージを送信する送信機回路と、
を備えたユーザ機器（ＵＥ）回路であって、
前記処理回路は、前記送信機回路が前記の生成されたＣＴＳメッセージを送信する前に、前記第２の周波数帯域に関連付けられている前記無線伝送媒体が空いていることを示す確認応答メッセージを生成し、前記送信機回路は、前記第１の周波数帯域において前記確認応答メッセージを前記ｅＮＢに送信する、ＵＥ回路。
【請求項２】
前記第１の周波数帯域は、ロングタームエボリューション（ＬＴＥ）に関連付けられており、前記第２の周波数帯域は、免許不要である、請求項１記載のＵＥ回路。
【請求項３】
前記送信機回路は、無線ローカルエリアネットワーク（ＷＬＡＮ）において、前記の生成されたＣＴＳメッセージを１以上のＷＬＡＮ送信機にブロードキャストする、請求項１記載のＵＥ回路。
【請求項４】
前記受信機回路は、前記スケジューリング情報に基づいて、前記第２の周波数帯域において前記ｅＮＢから下りリンクデータを受信する、請求項１記載のＵＥ回路。
【請求項５】
前記処理回路は、受信側アドレス値及び継続時間値を含む前記ＣＴＳメッセージを生成する、請求項１乃至４いずれか一項記載のＵＥ回路。
【請求項６】
前記受信側アドレス値及び前記継続時間値のうちの少なくとも１つは、前記ｅＮＢから受信された前記スケジューリング情報に基づく、請求項５記載のＵＥ回路。
【請求項７】
前記処理回路は、前記スケジューリング情報により示された時間に、前記送信機回路に前記ＣＴＳメッセージを送信させる、請求項１乃至４いずれか一項記載のＵＥ回路。
【請求項８】
進化型ノードＢ（ｅＮＢ）から、第１の周波数帯域において、前記ｅＮＢからの下りリンク送信に関連付けられているスケジューリング情報を受信する受信機回路と、
前記受信機回路に接続されている処理回路であって、空きチャネル判定（ＣＣＡ）を実行して、第２の周波数帯域に関連付けられている無線伝送媒体が空いているかどうかを判定し、前記の実行されたＣＣＡ及び前記の受信されたスケジューリング情報に基づく送信許可（ＣＴＳ）メッセージを生成する処理回路と、
前記受信機回路に接続されている送信機回路であって、前記第２の周波数帯域に関連付けられている前記無線伝送媒体を予約するために、前記第２の周波数帯域において、前記の生成されたＣＴＳメッセージを送信する送信機回路と、
を備えたユーザ機器（ＵＥ）回路であって、
前記処理回路は、前記ＣＣＡの実行からの少なくとも１つの値を含む確認応答メッセージを生成し、前記送信機回路は、前記第１の周波数帯域において前記確認応答メッセージを前記ｅＮＢに送信する、ＵＥ回路。
【請求項９】
前記第１の周波数帯域は、ロングタームエボリューション（ＬＴＥ）に関連付けられており、前記第２の周波数帯域は、免許不要である、請求項８記載のＵＥ回路。
【請求項１０】
前記送信機回路は、無線ローカルエリアネットワーク（ＷＬＡＮ）において、前記の生成されたＣＴＳメッセージを１以上のＷＬＡＮ送信機にブロードキャストする、請求項８記載のＵＥ回路。
【請求項１１】
前記受信機回路は、前記スケジューリング情報に基づいて、前記第２の周波数帯域において前記ｅＮＢから下りリンクデータを受信する、請求項８記載のＵＥ回路。
【請求項１２】
前記処理回路は、前記ＣＴＳメッセージの送信の前に、前記送信機回路に前記確認応答メッセージを送信させる、請求項８乃至１１いずれか一項記載のＵＥ回路。
【請求項１３】
前記処理回路は、受信側アドレス値及び継続時間値を含む前記ＣＴＳメッセージを生成する、請求項８乃至１１いずれか一項記載のＵＥ回路。
【請求項１４】
前記受信側アドレス値及び前記継続時間値のうちの少なくとも１つは、前記ｅＮＢから受信された前記スケジューリング情報に基づく、請求項１３記載のＵＥ回路。
【請求項１５】
前記処理回路は、前記スケジューリング情報により示された時間に、前記送信機回路に前記ＣＴＳメッセージを送信させる、請求項８乃至１１いずれか一項記載のＵＥ回路。
【請求項１６】
免許不要の周波数帯域に関連付けられている無線伝送媒体の予約のためのスケジューリング情報を含むメッセージを生成し、前記免許不要の周波数帯域においてユーザ機器（ＵＥ）に送信される下りリンクデータを決定する処理回路と、
前記処理回路に接続されている送信機回路であって、認可された周波数帯域において前記メッセージを前記ＵＥに送信し、前記スケジューリング情報の送信の後に、前記免許不要の周波数帯域において前記下りリンクデータを前記ＵＥに送信する送信機回路と、
前記処理回路に接続されている受信機回路であって、前記認可された周波数帯域において、前記免許不要の周波数帯域に関連付けられている前記無線伝送媒体が空いているかどうかを示す確認応答メッセージを受信する受信機回路と、
を備えた進化型ノードＢ（ｅＮＢ）回路であって、
前記処理回路は、前記確認応答メッセージに基づいて、前記送信機回路に前記下りリンクデータを前記ＵＥに対して送信させる、ｅＮＢ回路。
【請求項１７】
前記認可された周波数帯域は、ロングタームエボリューション（ＬＴＥ）に関連付けられている、請求項１６記載のｅＮＢ回路。
【請求項１８】
前記確認応答メッセージは、空きチャネル判定（ＣＣＡ）からの少なくとも１つの値を含む、請求項１６記載のｅＮＢ回路。
【請求項１９】
前記処理回路は、受信側アドレスと、前記免許不要の周波数帯域に関連付けられている前記無線伝送媒体が予約される継続時間と、のうちの少なくとも１つのインジケーションを含める、請求項１６乃至１８いずれか一項記載のｅＮＢ回路。
【請求項２０】
前記処理回路は、前記ＵＥが、前記免許不要の周波数帯域に関連付けられている前記無線伝送媒体を予約するためのリクエストを送信する時間のインジケーションを、前記スケジューリング情報に含める、請求項１６乃至１８いずれか一項記載のｅＮＢ回路。
【請求項２１】
前記送信機回路は、前記スケジューリング情報を複数のＵＥに送信し、前記処理回路は、前記複数のＵＥが、前記無線伝送媒体を予約するためのそれぞれのリクエストを順次に送信するか又は同時に送信するかのインジケーションを含める、請求項１６乃至１８いずれか一項記載のｅＮＢ回路。
【発明の詳細な説明】
【技術分野】
【０００１】
本発明の実施形態は、一般に、データ処理の技術分野に関し、より詳細には、ネットワークを介してデータを通信するよう動作可能なコンピュータデバイスに関する。
【０００２】
（関連出願との相互参照）
本出願は、３５Ｕ．Ｓ．Ｃ§１１９（ｅ）の下、２０１４年４月２８に出願された「An  Improved  Local  Channel  Reservation  for  LTE  Operation  in  the  Unlicensed  Spectrum」という名称の米国仮特許出願第６１／９８５３４６号及び２０１４年１１月１７日に出願された「Channel  Reservation  for  Operation  in  an  Unlicensed  Spectrum」という名称の米国特許出願第１４／５４３６７０号に基づく優先権を主張するものである。この仮特許出願の開示内容は、参照により本明細書に組み込まれる。
【背景技術】
【０００３】
本明細書で提供する背景技術の説明は、本開示のコンテキストを一般に提示するためにある。本発明者らの研究は、出願時における従来技術としての適格性を有さないであろう本説明の態様とともに、この背景技術のセクションで説明される限りにおいて、本開示に対する従来技術として明示的にも黙示的にも認められるものではない。本明細書において別途示されない限り、このセクションで説明される手法は、本開示における特許請求の範囲に対する従来技術ではなく、このセクションに含められることによって従来技術であると認められるものではない。
【０００４】
無線アクセスネットワークにおいて通信する際、移動端末及び基地局は、周波数帯域において通信し得る。無線周波数帯域は、例えば、行政により規制され得る。周波数帯域は、通信がその帯域において生じ得るように認可され得る。周波数帯域の認可に従って、移動端末及び基地局は、その周波数帯域において通信するよう構成され得る。無線ネットワーク上での高データ速度を求める要求の増加に起因して、データスループットを増大させる可能性のために、免許不要のスペクトル（unlicensed  spectrum）が調べられている。
【図面の簡単な説明】
【０００５】
本発明の実施形態が、限定ではなく例として、添付の図面に示される。図面において、同様の参照符号は、同様の要素を示す。本開示における本発明の「１つの」実施形態は、必ずしも同じ実施形態を指しているわけではなく、「１つの」実施形態は、少なくとも１つの実施形態を意味することがあることに留意されたい。
【図１】様々な実施形態に従った、１以上のユーザ機器が、下りリンク送信を受信するための媒体を予約するよう適合され得る環境を示すブロック図。
【図２】様々な実施形態に従った、免許不要の周波数帯域に関連付けられている媒体の試みられる予約のためのシステム及び動作を示すブロック図。
【図３】様々な実施形態に従った、クロスキャリアクロスサブフレームスケジューリングに基づく、免許不要の周波数帯域に関連付けられている媒体の予約のためのシステム及び動作を示すシーケンス図。
【図４】様々な実施形態に従った、免許不要の周波数帯域に関連付けられている媒体の予約の黙示的確認応答のためのシステム及び動作を示すブロック図。
【図５】様々な実施形態に従った、免許不要の周波数帯域に関連付けられている媒体の予約の明示的確認応答のためのシステム及び動作を示すブロック図。
【図６】様々な実施形態に従った、免許不要の周波数帯域に関連付けられている媒体の予約の半明示的確認応答のためのシステム及び動作を示すブロック図。
【図７】様々な実施形態に従った、認可された周波数帯域において受信されたクロスキャリアクロスサブフレームスケジューリング情報に基づいて、免許不要の周波数帯域に関連付けられている媒体を予約するための方法を示すフロー図。
【図８】様々な実施形態に従った、免許不要の周波数帯域において下りリンクデータを送信するためのクロスキャリアクロスサブフレームスケジューリングのための方法を示すフロー図。
【図９】様々な実施形態に従った、無線通信ネットワークにおいて動作するよう適合されているコンピューティングデバイスを示すブロック図。
【図１０】様々な実施形態に従った送信デバイスを示すブロック図。
【発明を実施するための形態】
【０００６】
以下の詳細な説明において、本明細書の一部を形成する添付の図面を参照する。図面において、同様の符号は、全体を通じて同様の部分を示し、例示のために、実施することができる実施形態が図示される。他の実施形態も利用可能であり、本開示の範囲から逸脱することなく、構造的変更又は論理的変更が可能であることを理解されたい。したがって、以下の詳細な説明は、限定的に解釈されるべきではなく、実施形態の範囲は、請求項及びその均等の構成により定められる。
【０００７】
様々な動作が、特許請求される主題を理解するのに最も助けになる形で、順番の複数の個別のアクション又は動作として説明され得る。しかしながら、説明の順番は、これらの動作が必ず順番に依存することを暗示するものとして解釈されるべきではない。詳細には、これらの動作は、提示される順番で実行されないこともある。説明する動作は、説明する実施形態とは異なる順番で実行されることもある。様々な追加の動作が実行されることもあるし、且つ／あるいは、説明する動作が、さらなる実施形態では省かれることもある。
【０００８】
本開示の目的に関し、「Ａ又はＢ」及び「Ａ及び／又はＢ」という語句は、（Ａ）、（Ｂ）、又は（Ａ及びＢ）を意味する。本開示の目的に関し、「Ａ、Ｂ、及び／又はＣ」という語句は、（Ａ）、（Ｂ）、（Ｃ）、（Ａ及びＢ）、（Ａ及びＣ）、（Ｂ及びＣ）、又は（Ａ、Ｂ、及びＣ）を意味する。
【０００９】
本説明では、「１つの実施形態において」又は「実施形態において」という語句が使用され得る。これらの語句はそれぞれ、同じ又は異なる実施形態のうちの１以上の実施形態を指し得る。さらに、本開示の実施形態に関連して使用される「備える」、「含む」、「有する」等の用語は、同義である。
【００１０】
本明細書で使用されるとき、「モジュール」及び／又は「ロジック」という用語は、１以上のソフトウェアプログラム又はファームウェアプログラムを実行する特定用途向け集積回路（「ＡＳＩＣ」）、電子回路、プロセッサ（共用、専用、又はグループ）、及び／若しくはメモリ（共用、専用、又はグループ）、組合せロジック回路、並びに／又は、説明する機能を提供する他の適切なハードウェアコンポーネントの一部を指し得る、あるいは、これらを含み得る。
【００１１】
まず図１から始めると、ブロック図は、様々な実施形態に従った、１以上のユーザ機器（「ＵＥ」）１３０〜１３５が、下りリンク送信を受信するための媒体を予約するよう適合され得る環境１００を示している。ＵＥ１３０〜１３５は、ブロードバンド回路を備えた任意のタイプのコンピューティングデバイスであって、例えば、１以上の第３世代パートナーシッププロジェクト（「３ＧＰＰ」）技術仕様に従って、セル（例えば、セル１１０）上で動作するよう適合されている任意のタイプのコンピューティングデバイスであり得る。例えば、ＵＥ１３０〜１３５の一方又は両方が、ネットブック、タブレットコンピュータ、ハンドヘルドコンピューティングデバイス、ウェブ対応機器、ゲームデバイス、携帯電話機、スマートフォン、電子書籍リーダ、携帯情報端末等であり得る。別の実施形態において、ＵＥ１３０〜１３５の一方又は両方が、スマート計量デバイス、決済デバイス（例えば、「走行距離連動型（pay-as-you-drive）」決済デバイス）、自動販売機、テレマティクスシステム（例えば、車両をトラッキング及びトレーシングするよう適合されているシステム）、セキュリティシステム（例えば、監視デバイス）等といった、ユーザ通信（例えば、音声通話、テキスト／インスタントメッセージング、ウェブブラウジング）用には主として適合されていないコンピューティングデバイスであってもよい。
【００１２】
実施形態に従うと、ＵＥ１３０〜１３５は、無線セル１１０上で動作することによりシステム間通信（intersystem  communication）用に構成され得る。無線セル１１０は、進化型ノードＢ（「ｅＮＢ」）１０５により提供され得る。ｅＮＢ１０５は、ＵＥ１３０〜１３５を、ロングタームエボリューション（「ＬＴＥ」）、ＬＴＥアドバンスト（「ＬＴＥ−Ａ」）、又は他の同様の規格等の１以上の規格に従う、例えば、第３世代（「３Ｇ」）システム、第４世代（「４Ｇ」）システム、第５世代（「５Ｇ」）システム、又はこれらを超えるシステムの一部としてのコアネットワークに接続することができる。様々な実施形態において、１以上の規格は、３ＧＰＰにより公布され得る。
【００１３】
実施形態において、ＵＥ１３０〜１３５は、セル１１０上で動作している間、複数の周波数帯域においてｅＮＢ１５０と通信することができる。例えば、ｅＮＢ１０５は、第１の周波数帯域において下りリンクデータをＵＥ１３０〜１３５に送信することができる。この第１の周波数帯域は、例えば、認可されたＬＴＥ周波数帯域（licensed  LTE  frequency  band）といった、ｅＮＢ１０５とＵＥ１３０〜１３５との間の無線セルラ通信のための認可された周波数帯域であり得る。
【００１４】
さらに、ｅＮＢ１０５は、第２の周波数帯域において下りリンクデータをＵＥ１３０〜１３５に送信するよう適合され得る。この第２の周波数帯域は、免許不要の周波数帯域であり得る。免許不要の周波数帯域において、ｅＮＢ１０５及びＵＥ１３０〜１３５は、「ＬＴＥ−ＬＡＡ（LTE-licensed  assisted  access）」等の、ＬＴＥに関連する規格に従って通信することができる。いくつかの実施形態において、免許不要の周波数帯域における通信は、認可された周波数帯域における一次的な下りリンク送信を補完することもあるし、且つ／又は、キャリアアグリゲーションのためのさらなるコンポーネントキャリアを提供することもある。
【００１５】
免許不要の周波数帯域に対する排他制御の欠如を所与として、免許不要の帯域におけるｅＮＢ１０５とＵＥ１３０〜１３５との間のいかなる通信も、同じ免許不要の周波数帯域を使用する他の無線技術の共存により影響が及ぼされ得る。例えば、５ギガヘルツ（「ＧＨｚ」）の無免許全米情報基盤（「Ｕ−ＮＩＩ」）における現存システムは、特に電気電子技術者協会（「ＩＥＥＥ」）８０２．１１  ａ／ｎ／ａｃ技術を使用する無線ローカルエリアネットワーク（「ＷＬＡＮ」）システムといったＷＬＡＮシステムであり得る。ＷＬＡＮシステムは、例えば、個人使用のために個人により、且つ／又は、キャリアクラスの接続ソリューション及びモバイルデータオフローディングのためにオペレータにより、広範に展開されるので、ｅＮＢ１０５とＵＥ１３０〜１３５との間の通信は、免許不要の周波数帯域においてＬＴＥ動作を開始する前に、可能性のある干渉を考慮する必要がある。
【００１６】
環境１００に示されるように、１以上のＷＬＡＮ送信機１５０〜１５５は、ＵＥ１３０〜１３５に近接して配置され得る。ＷＬＡＮ送信機１５０〜１５５は、ｅＮＢ１０５及びＵＥ１３０〜１３５が通信（例えば、ＬＴＥ−ＬＡＡ通信）のために使用し得る同じ免許不要の周波数帯域において、ＷＬＡＮを介してデータを送信するよう適合されている任意のＷＬＡＮノードであり得る。例えば、ＷＬＡＮ送信機１５０〜１５５のうちの１つは、ＷＬＡＮアクセスポイント若しくはパーソナルＷＬＡＮデバイスであり得、又は別のＵＥでもあり得る。
【００１７】
ＷＬＡＮシステムにおいて使用される搬送波感知多重アクセス／衝突回避方式（「ＣＳＭＡ／ＣＡ」）の下、送信するデータを有するノード（例えば、ＷＬＡＮ送信機１５０〜１５５のうちの１つ）は、まず、所定の継続時間の間、免許不要の周波数帯域に関連付けられている媒体を感知することにより、空きチャネル判定（「ＣＣＡ」）を実行する。免許不要の周波数帯域に関連付けられている媒体がアイドルである場合、ノードは、自身がその媒体の所有権（ownership）を得ることができるとみなすことができる。これを行う際、送信要求（「ＲＴＳ」）／送信許可（「ＣＴＳ」）交換メカニズムを使用して、可能性のある衝突及び干渉を軽減させることができる。このＲＴＳ／ＣＴＳは、ＷＬＡＮ送信機１５０〜１５５を含むＷＬＡＮノードのためのＩＥＥＥ８０２．１１仕様により要求され得る。ＲＴＳ／ＣＴＳの使用は、必須ではないが、ＣＴＳメッセージを受信したＷＬＡＮノードは、そのＣＴＳメッセージを順守しなければならない。例えば、ＷＬＡＮ基本サービスセット（「ＢＳＳ」）においてＲＴＳ／ＣＴＳメカニズムが有効化されていないとしても、そのＢＳＳに関連付けられているＷＬＡＮ局（「ＳＴＡ」）は、当該ＳＴＡが別のＢＳＳからのＣＴＳメッセージをオーバーヒアした場合、自身の送信を遅延させる必要がある。結果として、ＷＬＡＮ送信機１５０〜１５５は、受信されたＣＴＳメッセージに従い、それに応じて、そのようなＣＴＳメッセージにおいて指定されている継続時間の間、免許不要の周波数帯域に関連付けられている媒体にアクセスするのを止めるよう要求され得る。
【００１８】
実施形態において、ＲＴＳ／ＣＴＳ交換メカニズムを使用して、ｅＮＢ１０５とＵＥ１３０〜１３５との間の免許不要の周波数帯域における通信を円滑にすることができる。実施形態において、ｅＮＢ１０５は、免許不要の周波数帯域におけるＵＥ１３０〜１３５のための下りリンク送信をスケジューリングするよう適合され得る。ｅＮＢ１０５は、ＵＥ１３０〜１３５のうちの１以上のＵＥための、異なるサブフレーム（すなわち、「クロスサブフレーム」）において生じる下りリンク送信及び／又は異なるコンポーネントキャリア（すなわち、「クロスキャリア」）上で生じる下りリンク送信をスケジューリングするよう適合され得る。このスケジューリング情報は、ｅＮＢ１０５により、認可された周波数帯域においてＵＥ１３０〜１３５に送信され得る。
【００１９】
このスケジューリング情報に基づいて、免許不要の周波数帯域における媒体が、免許不要の周波数帯域における下りリンク送信のために予約される時間及び／又は継続時間が、ＵＥ１３０〜１３５に通知され得る。これに応じて、ＵＥ１３０〜１３５は、（例えば、ＣＣＡを実行することにより）免許不要の周波数帯域に関連付けられている媒体を感知することができる。媒体が使用中でない場合、ＵＥ１３０〜１３５は、例えば、スケジューリング情報において示された継続時間の間、媒体を予約するためのそれぞれのＣＴＳメッセージを生成することができる。次いで、ＵＥ１３０〜１３５は、それぞれのＣＴＳメッセージを、ＷＬＡＮ送信機１５０〜１５５のうちの１以上のＷＬＡＮ送信機に送信することができる。１つの実施形態において、ＵＥ１３０〜１３５は、それぞれのＣＴＳメッセージをブロードキャストすることができる。実施形態において、ＵＥ１３０〜１３５は、それぞれのＣＴＳメッセージを、ＷＬＡＮ送信機１５０〜１５５のうちの１以上のＷＬＡＮ送信機に送信することができるが、これらのＣＴＳメッセージは、そのような１以上のＷＬＡＮ送信機１５０〜１５５に対して具体的にアドレス指定され得ない。すなわち、ＵＥ１３０〜１３５は、それぞれのＣＴＳメッセージを送信することができ、そのような１以上のＷＬＡＮ送信機１５０〜１５５は、これらのＣＴＳメッセージが、そのような１以上のＷＬＡＮ送信機１５０〜１５５に対して具体的に宛先指定されることなく、これらのＣＴＳメッセージを検出又は「オーバーヒア」することができる。
【００２０】
その後、ｅＮＢ１０５は、免許不要の周波数帯域に関連付けられている媒体において下りリンクデータをＵＥ１３０〜１３５に送信することができる。いくつかの実施形態において、ＵＥ１３０〜１３５による媒体の予約は、黙示的に確認応答される。例えば、ｅＮＢ１０５は、ＵＥが、媒体がアイドルであると感知し、ｅＮＢ１０５による下りリンクデータの通信のための媒体を予約するためにそれぞれのＣＴＳメッセージをブロードキャストしたとみなす。
【００２１】
他の実施形態において、ＵＥ１３０〜１３５は、それぞれのＣＴＳメッセージのそれぞれの送信の後に、それぞれの確認応答メッセージをｅＮＢ１５０に送信するよう適合され得る。確認応答メッセージは、ＵＥ１３０〜１３５への下りリンク送信のために媒体が空いているということを、ｅＮＢ１０５に示すことができる。したがって、ｅＮＢ１０５は、それぞれの確認応答メッセージの受信に応答して、ＵＥ１３０〜１３５へのそれぞれの下りリンク送信を開始することができる。
【００２２】
いくつかの実施形態において、ＵＥ１３０〜１３５により媒体の予約は、明示的に確認応答される。例えば、ＵＥ１３０〜１３５は、それぞれのＣＴＳメッセージ送信の後に、それぞれの確認応答メッセージを送信することができる。媒体予約を見込んで、ＵＥ１３０〜１３５は、それぞれのＣＴＳメッセージ送信の前に、それぞれの確認応答メッセージを生成することができる。したがって、ＵＥ１３０〜１３５は、媒体が予約されている間の時間を消費し得る、それぞれの確認応答メッセージを生成するのに時間を費やすことなく、それぞれのＣＴＳメッセージ送信の後に、それぞれの確認応答メッセージを送信するよう適合され得る。
【００２３】
いくつかの実施形態において、ＵＥ１３０〜１３５による媒体の予約は、半明示的に確認応答される。例えば、ＵＥ１３０〜１３５は、それぞれのＣＴＳメッセージ送信の前に、それぞれの確認応答メッセージを送信することができる。媒体予約を見込んで、ＵＥ１３０〜１３５は、それぞれのＣＴＳメッセージ送信の前に、それぞれの確認応答メッセージを生成し、それぞれのＣＴＳメッセージ送信の前に、それぞれの確認応答メッセージを送信することができる。例えば、ＵＥ１３０〜１３５は、媒体がアイドルであると感知したことに応じて、それぞれの確認応答メッセージを生成して送信し、その後、それぞれのＣＴＳメッセージを送信することができる。したがって、確認応答メッセージの生成及び送信による、媒体が予約されている間の時間の消費が、低減され得る又はなくなり得る。
【００２４】
１つの実施形態において、ＵＥ１３０〜１３５のうちの１つのＵＥは、ＣＣＡを実行することにより媒体を感知し、ＣＣＡ実行に基づくフィードバックのインジケーションを、確認応答メッセージに含めることができる。確認応答メッセージ内に示されるＣＣＡフィードバックから、ｅＮＢ１０５は、媒体がアイドルであり、ＵＥ１３０〜１３５のうちのＣＴＳメッセージを送信した１つのＵＥにより予約される可能性が高いかどうかを判定することができ得る。
【００２５】
媒体の予約の確認応答に関連する、クロスキャリアクロスサブフレームスケジューリング（cross-carrier,  cross-subframe  scheduling）の黙示的、明示的、及び半明示的である実施形態は、免許不要の周波数帯域に関連付けられている媒体の予約と当該媒体における下りリンクデータ送信との間の継続時間を低減させることができる。
【００２６】
図２を参照すると、ブロック図は、様々な実施形態に従った、免許不要の周波数帯域に関連付けられている媒体の試みられる予約のためのシステム及び動作を示している。ｅＮＢ２０５は、図１に示されるｅＮＢ１０５の１つの実施形態であり得、ＵＥ２３０は、図１に示されるＵＥ１３０〜１３５のうちの１つのＵＥの１つの実施形態であり得る。
【００２７】
様々な実施形態において、ＲＴＳメッセージだけでは、免許不要の周波数帯域に関連付けられている媒体を予約することができない。結果として、ＷＬＡＮノード（図示せず）は、検出された（例えば、「オーバーヒアされた」）ＲＴＳメッセージの後にＣＴＳメッセージが続かない場合、そのＲＴＳメッセージを無視し得る。
【００２８】
しかしながら、ｅＮＢ２０５によるＣＴＳメッセージの送信は、実効的ではない場合がある。例えば、ｅＮＢ２０５は、媒体を感知する（例えば、ＣＣＡを実行する）ことができない場合がある。例えば、建物内でのＷｉＦｉ（登録商標）送信に関して、ｅＮＢ２０５がその建物の外に配置されている場合、ＷｉＦｉ（登録商標）ノードは、ｅＮＢ２０５からＣＴＳメッセージを受信しない場合がある。なぜならば、そのＷｉＦｉ（登録商標）ノードは、（例えば、ｅＮＢ２０５が、媒体がアイドルであると感知できなかったために）送信に関与している場合があるからである、且つ／あるいは、そのＷｉＦｉ（登録商標）ノードは、高伝搬損失に起因して、ＣＴＳメッセージを復号できない場合があるからである。さらに、ＣＴＳメッセージは、受信側（receiver）（例えば、ＵＥ２３０）周囲の可能性のある干渉をクリアすべきであり、したがって、ｅＮＢ２０５によるＣＴＳメッセージの送信は、例えば、ＵＥ２３０に近接する媒体が有効に予約されていないために、理由もなくそのネットワーク割り当てベクトル（「ＮＡＶ（network  allocation  vector）」）を設定するように、ｅＮＢ２５０周囲のＷＬＡＮノード（図示せず）をトリガする。したがって、ＵＥ２３０によるＣＴＳメッセージの送信は、意図されるデータ送信側（すなわち、ｅＮＢ２０５）によるＣＴＳメッセージの送信よりも効果的に、意図されるデータ受信側（すなわち、ＵＥ２３０）を保護することができる。
【００２９】
ｅＮＢ２０５とＵＥ２３０との間のＲＳＴ／ＣＴＳ交換の採用は、ポイントツーポイントリンクを確立するために制限され得る。このポイントツーポイントリンクは、複数のＵＥのための物理リソースの多重化を可能にし得ない。さらに、免許不要の周波数帯域におけるＲＴＳ／ＣＴＳメッセージの交換は、失敗しがちである。したがって、ＵＥ２３０によるＣＴＳメッセージ送信が基づき得るクロスキャリアクロスサブフレームスケジューリングは、免許不要の周波数帯域におけるｅＮＢ２５０によるＲＴＳメッセージ送信より効果的であり得る。
【００３０】
実施形態において、ｅＮＢ２０５は、ＣＴＳメッセージ送信のためのコマンド２５０をＵＥ２３０に送信することができる。このコマンドは、認可された周波数帯域において送信される１以上のサブフレームに含められ得る。コマンド２５０に基づいて、ＵＥ２３０は、ＣＴＳメッセージ２５５を生成して送信し、コマンド２５０において示された継続時間の間、免許不要の周波数帯域に関連付けられている媒体を予約することができる。媒体を予約した後、ＵＥ２３０は、確認応答メッセージ２６０を生成し、確認応答メッセージ２６０をｅＮＢ２０５に送信することができる。しかしながら、媒体が予約されている継続時間は、ＵＥ２３０が確認応答メッセージ２６０を生成する時間と、ｅＮＢ２０５への確認応答メッセージ２６０の送信における固有の遅延により費やされる時間と、によって経過し得る。結果として、媒体は、ｅＮＢ２０５がＵＥ２３０へのデータ２６５の送信を開始する時点において、もはや予約されていない場合があり、したがって、データ２６５の送信は、ＵＥ２３０に到達する際に干渉及び衝突を受ける場合がある。
【００３１】
図３を参照すると、シーケンス図は、様々な実施形態に従った、クロスキャリアクロスサブフレームスケジューリングに基づく、免許不要の周波数帯域に関連付けられている媒体の予約のためのシステム及び動作を示している。ｅＮＢ３０５は、図１に示されるｅＮＢ１０５の１つの実施形態であり得、ＵＥ３１０〜３２０は、図１に示されるＵＥ１３０〜１３５の１つの実施形態であり得る。
【００３２】
実施形態に従うと、ｅＮＢ３０５は、クロスキャリアクロスサブフレームスケジューリングを通じて、免許不要の周波数帯域を介する下りリンク送信をスケジューリングすることができる。動作３３２において、ｅＮＢ３０５は、ＵＥ３１０〜３２０によるＣＴＳメッセージの送信に関連する情報を送信することができる。ｅＮＢ３０５は、スケジューリングされる下りリンクデータに先立って、この情報を、予め定められた数のサブフレームで送信することができる。この情報は、スケジューリング情報及び／又は制御情報であり得るクロスキャリアクロスサブフレームスケジューリング情報を含み得る。例えば、ｅＮＢは、このスケジューリング情報及び／又は制御情報に、スケジューリングされたＵＥ３１０〜３２０の１以上の識別子（「ＩＤ」）、変調符号化方式（「ＭＣＳ」）、リソース割り当て（例えば、物理リソースブロック（「ＰＲＢ」）割り当て）、及び／又は、ｅＮＢ３０５とＵＥ３１０〜３２０との間のデータの通信に関連付けられている他の同様の情報を含めることができる。
【００３３】
実施形態において、ｅＮＢ３０５は、下りリンクデータをＵＥ３１０〜３２０のうちの１以上のＵＥに送信するのにｅＮＢ３０５が必要とし得る継続時間を決定することができる。ｅＮＢ３０５は、スケジューリング情報及び／又は制御情報にこの継続時間を含めて、そのような１以上のＵＥ３１０〜３２０が、免許不要の周波数帯域に関連付けられている媒体を予約すべき継続時間を、そのような１以上のＵＥ３１０〜３２０に示すことができる。
【００３４】
ｅＮＢ３０５は、１以上のＵＥ３１０〜３２０が媒体を予約するためにそれぞれのＣＴＳメッセージを送信する時間を決定することができる。ｅＮＢ３０５は、スケジューリング情報及び／又は制御情報にこの時間を含めることができる。例えば、ＵＥ３１０〜３２０によるＣＴＳメッセージ送信は、同時であり得、したがって、ｅＮＢ３０５は、スケジューリング情報及び／又は制御情報において、全てのＵＥ３１０〜３２０が媒体を予約するためにそれぞれのＣＴＳメッセージを送信する時間に対応する値を示すことができる。
【００３５】
１つの実施形態において、ｅＮＢ３０５は、スケジューリング情報及び／又は制御情報を用いて、半永続スケジューリングを適用することができる。例えば、ｅＮＢ３０５は、ｅＮＢ３０５が、比較的大量のデータをＵＥ３１０〜３２０のうちの１以上のＵＥに送信する場合、半永続スケジューリングを適用することができる。
【００３６】
実施形態において、ｅＮＢ３０５は、認可された周波数帯域においてこのスケジューリング情報及び／又は制御情報を送信することができる。１つの実施形態において、ｅＮＢ３０５は、この情報をＵＥ３１０〜３２０にブロードキャストすることができる。ｅＮＢ３０５がこの情報をブロードキャストするいくつかの実施形態において、ｅＮＢ３０５は、例えば、各ＵＥ３１０〜３２０のそれぞれのＩＤをスクランブリングマスクに隠すことによって等、各ＵＥ３１０〜３２０のそれぞれのＩＤを黙示的に含めることができる。
【００３７】
別の実施形態において、ｅＮＢ３０５は、このスケジューリング情報及び／又は制御情報を各ＵＥ３１０〜３２０にユニキャストすることができる。ｅＮＢ３０５がこの情報をユニキャストするいくつかの実施形態において、各ＵＥ３１０〜３２０のＩＤが、各ＵＥ３１０〜３２０へのユニキャスト送信のペイロードにおいて明示的にシグナリングされ得ないように、ｅＮＢ３０５は、このスケジューリング情報及び／又は制御情報をビームフォーミングすることができる。
【００３８】
１つの実施形態において、ｅＮＢ３０５は、物理下りリンク制御チャネル（「ＰＤＣＣＨ」）を使用して、このスケジューリング情報及び／又は制御情報を送信することができる。代替的に、ｅＮＢ３０５は、拡張ＰＤＣＣＨ（「ＥＰＤＣＣＨ」）を使用して、且つ／又は、別の信号上に若しくは別のチャネルを介してピギーバックして、このスケジューリング情報及び／又は制御情報を送信してもよい。
【００３９】
ＵＥ３１０〜３２０の各々は、それぞれのＰＤＣＣＨを復号し、ｅＮＢ３０５からの下りリンクデータが存在するようになることを識別することができる。例えば、ＵＥ３１０〜３２０の各々は、ｅＮＢ３０５が、ＰＤＣＣＨにより（又は、予め定められたルール及び／若しくは予め設定されたデータにより）指定されている継続時間の間、物理下りリンク共用チャネル（「ＰＤＳＣＨ」）を使用して免許不要の周波数帯域においてデータを送信するようになることを識別することができる。動作３３５〜３３７に示されるように、ＵＥ３１０〜３２０の各々は、動作３３２に基づいて、免許不要の周波数帯域に関連付けられている媒体を感知することができる。例えば、動作３３５において、第１のＵＥ３１０は、ＣＣＡを実行して、媒体がビジーであると判定し得るのに対し、ＵＥ３１５〜３２０は、ＣＣＡを実行して、媒体がアイドルであると判定し得る。動作３４０〜３４２において、媒体がアイドルであると感知したＵＥ３１５〜３２０の各々は、それぞれのＣＴＳメッセージを送信して、媒体を予約することができる。
【００４０】
様々な実施形態において、ＵＥ３１５〜３２０は、ＵＥ３１５〜３２０が互いのＣＴＳメッセージを検出できるように、互いに近接していることがある。ＵＥ３１５〜３２０の各々は、ＵＥ３１５〜３２０の各々が、ＵＥ３１５〜３２０の他方のＵＥによるＮＡＶセットを順守しないで自身のＣＴＳメッセージを送信し続けるように、検出されたＣＴＳメッセージがＵＥ３１５〜３２０の他方のＵＥにより送信されたということを判定するよう適合され得る。したがって、動作３４０〜３４２において送信されるそれぞれのＣＴＳメッセージは、ＵＥ３１０〜３２０による互いからのＣＴＳメッセージの識別を容易にするために、ｅＮＢ３０５により（例えば、スケジューリング情報及び／又は制御情報に含められて）設定され得る特別なアドレスを含み得る。
【００４１】
ＵＥ３１０〜３２０がそれぞれのＣＴＳメッセージを同時に送信する時間をｅＮＢ３０５が指定している場合、媒体がアイドルであると感知したＵＥ３１５〜３２０は、指定された時間にそれぞれのＣＴＳメッセージを送信する。いくつかの実施形態において、ＵＥ３１５〜３２０により同時に送信されるＣＴＳメッセージは、同一である。例えば、各ＣＴＳメッセージに含まれるそれぞれの受信側アドレスフィールドのそれぞれの値は、同一でなければならず、各ＣＴＳメッセージに含まれるそれぞれの継続時間フィールドのそれぞれの値は、同一でなければならない。
【００４２】
同時に生じ得る同時送信に関して、ＵＥ３１５〜３２０の各々により使用されるそれぞれの変調方式及びそれぞれの符号化速度は、ＣＴＳメッセージを伝達する信号が無線でスーパーインポーズ（superimposed）され得るように、同一であり得る。送信のための信号フォーマットは、３ＧＰＰ仕様により予め設定されていることもあるし、ＵＥ３１０〜３２０の各々に記憶されていることもあるし、且つ／又は、ｅＮＢ３０５によりＵＥ３１０〜３２０に示されることもある。同時に生じるＣＴＳメッセージ同時送信は、全てのスケジューリングされたＵＥ３１０〜３２０からＣＴＳメッセージを順次に送信するのに必要とされる時間を低減させることができる、且つ／又は、（例えば、複数のＵＥ３１５〜３２０が同一のＣＴＳメッセージを同時に送信しているため）ＣＴＳメッセージを増幅することより、１以上のＷＬＡＮノードに対する視認性（visibility）を増大させることができる。
【００４３】
媒体がアイドルであると感知したＵＥ３１５〜３２０が、（例えば、ＷＬＡＮと共有される空間再利用を増大させるために）異なる継続時間及び／又は異なる時間に予約することを望む場合、第２のＵＥ３１５がＣＴＳメッセージを送信した後、第３のＵＥ３２０が別のＣＴＳメッセージを送信するように、動作３４０及び動作３４２は順次に実行され得る。
【００４４】
１つの実施形態において、ｅＮＢ３０５は、ＵＥ３１５〜３２０のＣＴＳメッセージが同一でないとしても、それぞれのＣＴＳメッセージを同時に送信するように、ＵＥ３１５〜３２０に指示することができる。そのような実施形態において、ＵＥ３１５〜３２０は、互いに近接していないことがあり、ｅＮＢ３０５は、ＵＥ３１５〜３２０に関する位置情報を有し得る。
【００４５】
ｅＮＢ３０５は、順次のＣＴＳメッセージ送信を演繹的にスケジューリングすることができる。しかしながら、いくつかのレガシーＷＬＡＮノードは、それら自身のＮＡＶを設定しているとき、全ての受信されたＣＴＳメッセージのうち最長継続時間のみを順守し得る。
【００４６】
半永続スケジューリングが使用される実施形態において、ＵＥ３１５〜３２０は、繰り返しのスケジューリング間隔に基づいてそれぞれのＣＴＳメッセージを自律的に送信することにより、前もって媒体を予約することができる。
【００４７】
動作３４５〜３４７において、ＵＥ３１０〜３２０は、媒体予約の成功のそれぞれのインジケーションをｅＮＢ３０５に送信する。動作３４５〜３４７のそれぞれのインジケーションは、認可された周波数帯域において送信され得る。１つの実施形態において、媒体がビジーであると感知した第１のＵＥ３１０は、第１のＵＥ３１０が媒体を予約できなかったことを示すメッセージを、ｅＮＢ３０５に送信する。第１のＵＥ３１０からのこのメッセージに基づいて、ｅＮＢ３０５は、免許不要の周波数帯域において第１のＵＥ３１０にデータを送信するのを止めることができる。動作３４６〜３４７において、媒体がアイドルであると感知したＵＥ３１５〜３２０は、ＵＥ３１５〜３２０が媒体を予約することを示すそれぞれの確認応答メッセージを、ｅＮＢ３０５に送信することができる。
【００４８】
いくつかの実施形態において、ＵＥ３１５〜３２０は、ＣＴＳメッセージの生成及び／又は送信の前に、確認応答メッセージを生成することができる。例えば、ＵＥ３１５〜３２０は、ＵＥ３１５〜３２０が、それぞれのＣＴＳメッセージの送信の直後にそれぞれの確認応答メッセージを送信できるように、それぞれの確認応答メッセージを生成しそれらの確認応答メッセージをバッファすることができる。１つの実施形態において、動作３４６〜３４７は、動作３４０〜３４２の前に生じ得る。すなわち、媒体がアイドルであると成功裡に感知したＵＥ３１５〜３２０は、それぞれのＣＴＳメッセージの送信の前に、それぞれの確認応答メッセージを送信することができる。
【００４９】
１つの実施形態において、それぞれのメッセージは、媒体感知動作３３５〜３３７に基づく情報を含み得る。例えば、ＵＥ３１０〜３２０のうちの１つのＵＥは、ｅＮＢ３０５へのメッセージに、ＣＣＡ実行に関連付けられているフィードバック及び／又は結果を含めることができる。ｅＮＢ３０５は、媒体の感知に基づくこの情報から、ＵＥ３１０〜３２０のうちの１以上のＵＥが、媒体を成功裡に予約するかどうか、又は媒体を成功裡に予約する可能性が高いかどうかを判定することができる。
【００５０】
動作３５０〜３５１において、ｅＮＢ３０５は、ＵＥ３１５〜３２０からの確認応答メッセージに基づいて、免許不要の周波数帯域において下りリンクデータをＵＥ３１５〜３２０に送信することができる。ｅＮＢ３０５は、動作３３２において送信されたクロスキャリアクロスサブフレームスケジューリング情報によりスケジューリングされているように、下りリンクデータを送信することができる。
【００５１】
１つの実施形態において、ｅＮＢ３０５は、ＵＥ３１０〜３２０のうちの１つのＵＥがＣＴＳメッセージを成功裡に送信してさえすれば、ＵＥ３１０〜３２０の全てのＵＥに下りリンクデータを送信することができる。ｅＮＢ３０５は、媒体がビジーであると第１のＵＥ３１０が感知したために第１のＵＥ３１０がＣＴＳメッセージを送信できなかったとしても、保守的な変調及び符号化方式で下りリンクデータを送信することができる。より多くのＣＴＳメッセージが成功裡に送信されたときにはＷＬＡＮノードからの干渉が軽減され得るが、第１のＵＥ３１０は、ＷＬＡＮノードによる干渉があるノイズの多い媒体を克服するために、自動再送要求（「ＡＲＱ」）及び／又はハイブリッドＡＲＱ（「ＨＡＲＱ」）になお依拠し得る。
【００５２】
いくつかの実施形態において、ｅＮＢ３０５は、媒体を予約できなかった第１のＵＥ３１０に割り当てられているリソースブロックを解放することができる。そのような実施形態において、媒体を成功裡に予約した他のＵＥ３１５〜３２０に割り当てられているリソースブロックの送信電力が、最大で予め定められたピーク電力制約まで増大され得る。様々な実施形態において、ｅＮＢ３０５は、クロスキャリアクロスサブフレームスケジューリング中に、ＰＤＳＣＨリソースをオーバーブッキング（overbook）することができる。例えば、少なくとも１つのＵＥ３１０が媒体を予約できないであろうことを見込んで、ｅＮＢ３０５が免許不要の周波数帯域において同時には全てのＵＥ３１０〜３２０にサーブ（serve）できないとしても、ｅＮＢ３０５は、ＣＴＳメッセージを送信するように全てのＵＥ３１０〜３２０に要求することができる。ｅＮＢ３０５は、受信された確認応答メッセージ及び／又は媒体を感知したことに関連付けられている受信された情報（例えば、ＣＣＡフィードバック）に基づいて、免許不要の周波数帯域において、成功したＵＥ３１５〜３２０になおサーブすることができる。ｅＮＢ３０５は、受信された確認応答メッセージ及び／又は媒体を感知したことに関連付けられている受信された情報（例えば、ＣＣＡフィードバック）に基づいて、リソース割り当てを更新することができ、ｅＮＢ３０５は、動作３５０〜３５１における下りリンクデータ送信の始めに、ＰＤＣＣＨを介して、更新されたスケジューリング情報及び／又は制御情報を送信することができる。
【００５３】
動作３４５〜３４７のうちの１以上の動作は、いくつかの実施形態において、存在しないこともある。例えば、第１のＵＥ３１０は、媒体がビジーであることを検出し、したがって、ＣＴＳメッセージを送信しない。第１のＵＥ３１０からの確認応答メッセージの不存在に基づいて、ｅＮＢ３０５は、第１のＵＥに近接する媒体がビジーであると判定し、免許不要の周波数帯域において下りリンクデータを第１のＵＥ３１０に送信するのを止めることができる。
【００５４】
いくつかの実施形態において、動作３４６〜３４７のうちの１つの動作に関連する確認応答メッセージは、黙示的であり得る。例えば、ｅＮＢ３０５は、第２のＵＥ３１５及び第３のＵＥ３２０が、媒体を予約するためにそれぞれのＣＴＳメッセージを送信できたとみなし得、動作３５０〜３５１において、ｅＮＢ３０５は、免許不要の周波数帯域において下りリンクデータをＵＥ３１５〜３２０に送信することができる。
【００５５】
別の実施形態において、ｅＮＢ３０５は、ＵＥ３１５〜３２０に十分近接していて、ＵＥ３１５〜３２０のそれぞれのＣＴＳメッセージを検出することができる。この検出に応じて、ｅＮＢ３０５は、媒体が成功裡に予約されたと判定し、ＵＥ３１５〜３２０による確認応答メッセージの送信なく、動作３５０〜３５１に示されるように、下りリンクデータを送信することができる。１つの実施形態において、どのＵＥ３１５〜３２０が媒体を成功裡に予約したかをｅＮＢ３０５が検出して、ｅＮＢ３０５が下りリンクデータをＵＥ３１５〜３２０に送信できるように、ＵＥ３１５〜３２０は、それぞれのＣＴＳメッセージを順次に送信することができる。
【００５６】
次に図４を参照すると、ブロック図は、様々な実施形態に従った、免許不要の周波数帯域に関連付けられている媒体の予約の黙示的確認応答のためのシステム及び動作を示している。ｅＮＢ４０５は、図１に示されるｅＮＢ１０５の１つの実施形態であり得、ＵＥ４３０は、図１に示されるＵＥ１３０〜１３５のうちの１つのＵＥの１つの実施形態であり得る。
【００５７】
様々な実施形態において、ＵＥ４３０は、媒体がアイドルであるとＵＥ４３０が感知したことをｅＮＢ４０５に示すために、確認応答メッセージをｅＮＢ４０５に送信し得ない（例えば、ＵＥ４３０は、ＣＣＡフィードバックをｅＮＢ４０５に送信し得ない）。そのような実施形態において、ｅＮＢ４０５は、ｅＮＢ４０５により送信されたクロスキャリアクロスサブフレームスケジューリング情報に従って、免許不要の周波数帯域における下りリンクデータ送信に進むことができる。
【００５８】
実施形態において、ｅＮＢ４０５は、認可された周波数帯域において、クロスキャリアクロスサブフレームスケジューリング情報４５０をＵＥ４３０に送信することができる。スケジューリング情報４５０に基づいて、ＵＥ４３０は、免許不要の周波数帯域に関連付けられている媒体を感知し（例えば、ＣＣＡを実行し）、媒体がアイドルであると感知された場合、ＣＴＳメッセージ４５５を生成して送信し、免許不要の周波数帯域に関連付けられている媒体を予約することができる。
【００５９】
ＣＴＳメッセージ送信の時間（例えば、インスタンス（instance））が、スケジューリング情報４５０内に示されている場合を除き、ＵＥ４３０は、スケジューリング情報４５０が受信されたとき（例えば、スケジューリング情報を有するＰＤＣＣＨを復号した後）からデータ４６５の実際の送信が開始するときまでの任意の時間に、ＣＴＳメッセージ４５５を送信することができる。媒体がアイドルであるとＵＥ４３０が感知してすぐにＵＥ４３０がＣＴＳメッセージ４５５を送信する場合、ＵＥ４３０は、ＵＥ４３０が媒体を予約できる可能性を増大させることができる。しかしながら、媒体がアイドルであるとＵＥ４３０が感知してすぐのＣＴＳメッセージ４５５の送信は、媒体予約の非効率性も増大させ得る。反対に、ＣＴＳメッセージ４５５の送信が、データ４６５のスケジューリングされた送信の始めに向けて遅延される場合、媒体の予約がより効率的であり得るとしても、ＵＥが媒体を予約できる可能性は低減し得る。
【００６０】
媒体予約の確認応答は黙示的であり得るので、ｅＮＢ４０５は、例えば、スケジューリング情報４５０においてＵＥ４３０にシグナリングされ得るスケジューリングされたインスタンスに、免許不要の周波数帯域におけるデータ４６５の送信を開始することができる。したがって、ｅＮＢ４０５は、ＵＥ４３０からの媒体予約を示す確認応答メッセージ及び／又はＣＴＳメッセージ４５５の送信なく、データ４６５をＵＥ４３０に送信することができる。
【００６１】
いくつかの実施形態において、ＵＥ４３０は、媒体を予約できないことがあり、結果として、ＵＥ４３０に近接する１以上のＷＬＡＮノード（図示せず）からの干渉及び／又は衝突に起因して、データ４６５を復号できないことがある。
【００６２】
図５を参照すると、ブロック図は、様々な実施形態に従った、免許不要の周波数帯域に関連付けられている媒体の予約の明示的確認応答のためのシステム及び動作を示している。ｅＮＢ５０５は、図１に示されるｅＮＢ１０５の１つの実施形態であり得、ＵＥ５３０は、図１に示されるＵＥ１３０〜１３５のうちの１つのＵＥの１つの実施形態であり得る。
【００６３】
実施形態において、ｅＮＢ５０５は、認可された周波数帯域において、クロスキャリアクロスサブフレームスケジューリング情報５５０をＵＥ５３０に送信することができる。スケジューリング情報５５０に基づいて、ＵＥ５３０は、免許不要の周波数帯域に関連付けられている媒体を感知し（例えば、ＣＣＡを実行し）、媒体がアイドルであると感知された場合、ＣＴＳメッセージ５５５を生成して送信し、免許不要の周波数帯域に関連付けられている媒体を予約することができる。
【００６４】
様々な実施形態において、ＵＥ５３０は、（例えば、ＣＴＳメッセージ５５５の送信により）媒体が予約されるべきことを示すために、確認応答メッセージ５６０を生成することができる。ＣＴＳメッセージ５５５の送信が比較的わずかな時間（例えば、数十マイクロ秒）しか要さないことを所与として、ＣＴＳメッセージ５５０の送信の終わりと上りリンク確認応答メッセージ５６０の始めとの間の継続時間を最小にして、ＵＥ５３０による媒体予約とデータ５６５の実際の送信との間の継続時間を最小にすることができる。したがって、ＵＥ５３０は、確認応答メッセージ５６０がＣＴＳメッセージ５５５の送信後に迅速に送信され得るように、ＣＴＳメッセージ５５５の生成及び／又は送信の前に、確認応答メッセージ５６０を生成及び／又はバッファすることができる。
【００６５】
図６に移ると、ブロック図は、様々な実施形態に従った、免許不要の周波数帯域に関連付けられている媒体の予約の半明示的確認応答のためのシステム及び動作を示している。ｅＮＢ６０５は、図１に示されるｅＮＢ１０５の１つの実施形態であり得、ＵＥ６３０は、図１に示されるＵＥ１３０〜１３５のうちの１つのＵＥの１つの実施形態であり得る。
【００６６】
実施形態において、ｅＮＢ６０５は、認可された周波数帯域において、クロスキャリアクロスサブフレームスケジューリング情報６５０をＵＥ６３０に送信することができる。スケジューリング情報６５０に基づいて、ＵＥ６３０は、例えば、ＣＣＡを実行することにより、免許不要の周波数帯域に関連付けられている媒体を感知することができる。様々な実施形態において、ＵＥ６３０は、媒体の感知に関連付けられている情報を含む確認応答メッセージ６６０を生成することができる。例えば、ＵＥ６３０は、媒体がビジーであると感知されたかアイドルであると感知されたかのインジケーション、及び／又は、ＣＣＡ実行の結果若しくはフィードバック、を含む確認応答メッセージ６６０を生成することができる。
【００６７】
次いで、ＵＥ６３０は、認可された周波数帯域において、確認応答メッセージ６６０をｅＮＢ６０５に送信することができる。確認応答メッセージ６６０内の媒体の感知に関連付けられている情報に基づいて、ｅＮＢ６０５は、データ６６５を送信するべきかどうかを決定することができる。確認応答メッセージ６６０により、媒体がアイドルであると示された場合、ｅＮＢ６０５は、ＵＥ６３０がＣＴＳメッセージ６５５を送信することになるとみなし得、したがって、ｅＮＢ６０５は、データ６６５をＵＥ６３０に送信することになる。しかしながら、確認応答メッセージ６６０により、媒体がビジーであると示された場合、ｅＮＢ６０５は、ＵＥ６３０がＣＴＳメッセージ６５５を送信しないことになるとみなし得、したがって、ｅＮＢ６０５は、免許不要の周波数帯域においてデータ６６５をＵＥ６３０に送信するのを止めることができる。
【００６８】
いくつかの実施形態において、免許不要の周波数帯域における、セルラプロトコルに関連付けられている近接送信又はＷＬＡＮ送信（例えば、別のＵＥ及び／若しくはｅＮＢ並びに／又は中継ノードからのＬＴＥ−ＬＡＡ送信）に起因して、媒体がビジーである場合がある。媒体がビジーであるとＵＥ６３０が感知したとき、ＵＥ６３０は、そのような干渉する送信を区別することができると判定することができる。媒体がビジーであると示されたとしても、ｅＮＢ６０５がデータ６６５をＵＥ６３０になお送信できるように、ＵＥ６３０は、確認応答メッセージ６６０に、この能力のインジケーションを含めることができる。
【００６９】
図７を参照すると、フロー図は、様々な実施形態に従った、認可された周波数帯域において受信されたクロスキャリアクロスサブフレームスケジューリング情報に基づいて、免許不要の周波数帯域に関連付けられている媒体を予約するための方法７００を示している。方法７００は、図１のＵＥ１３０等のＵＥにより実行され得る。図７は、複数の順次の動作を示しているが、当業者であれば、方法７００の１以上の動作は、入れ替えられることもあるし、且つ／又は、同時に実行されることもあることが理解されよう。
【００７０】
始めに、方法７００は、認可された周波数帯域において受信されたクロスキャリアクロスサブフレームスケジューリング情報を処理する動作７０５を含み得る。このクロスキャリアクロスサブフレームスケジューリング情報は、免許不要の周波数帯域において生じる下りリンク送信のためのスケジューリング情報及び／又は制御情報を示すことができる。
【００７１】
動作７１０において、方法７００は、媒体感知を実行して、免許不要の周波数帯域に関連付けられている無線伝送媒体がアイドルであるかどうかを判定することを含み得る。１つの実施形態において、動作７１０は、ＣＣＡを実行して、媒体がアイドルであるかどうかを示すフィードバックを決定することを含み得る。
【００７２】
動作７１０の媒体感知により、媒体がビジーであると示された場合、判定ブロック７１５は、動作７１０を繰り返させ得る。例えば、媒体がアイドルになるまで、媒体が感知され得る。媒体がアイドルであると感知された場合、判定ブロック７１５は、方法７００を動作７２０に進めさせ得る。
【００７３】
実施形態において、動作７２０は、無線伝送媒体を予約するためのリクエストを生成することを含み得る。様々な実施形態において、このリクエストは、ＣＴＳメッセージであり得る。様々な実施形態において、動作７２０は、動作７０５において処理されたスケジューリング情報及び／又は制御情報に基づいてリクエストを生成することに関連する動作を含み得る。
【００７４】
動作７２５は、無線伝送媒体を予約するために、免許不要の周波数帯域において、生成されたリクエストを送信することを含み得る。様々な実施形態において、動作７２５は、動作７０５において処理されたスケジューリング情報及び／又は制御情報に基づいてリクエストを送信することに関連する動作を含み得る。
【００７５】
いくつかの実施形態において、方法７００は、動作７３０〜７３５を含み得る。動作７３０において、方法７００は、媒体感知の実行に基づくメッセージを生成することを含み得る。様々な実施形態において、動作７３０は、媒体感知の実行に関連付けられている情報（例えば、ＣＣＡフィードバック）を含むメッセージを生成することに関連する動作を含み得る。別の実施形態において、動作７３０は、媒体を予約するためのリクエストが送信された又は送信されることを示すメッセージを生成することに関連する動作を含み得る。
【００７６】
動作７３５は、認可された周波数帯域において、生成されたメッセージをｅＮＢに送信することを含み得る。いくつかの実施形態において、動作７３０〜７３５の一方又は両方は、動作７２０〜７２５の一方又は両方の前に実行され得る。
【００７７】
動作７４０は、免許不要の周波数帯域において予約された媒体を介してｅＮＢから受信された下りリンクデータを処理することを含み得る。様々な実施形態において、下りリンクデータは、ＬＴＥ等のセルラプロトコルに関連付けられ得る。様々な実施形態において、下りリンクデータの処理は、スケジューリング情報及び／又は制御情報に基づき得る（例えば、下りリンクデータは、スケジューリング情報及び／又は制御情報において示されたインスタンスに受信され得る）。
【００７８】
図８を参照すると、フロー図は、様々な実施形態に従った、免許不要の周波数帯域において下りリンクデータを送信するためのクロスキャリアクロスサブフレームスケジューリングのための方法を示している。方法８００は、図１のｅＮＢ１０５等のｅＮＢにより実行され得る。図８は、複数の順次の動作を示しているが、当業者であれば、方法８００の１以上の動作は、入れ替えられることもあるし、且つ／又は、同時に実行されることもあることが理解されよう。
【００７９】
始めに、方法８００は、クロスキャリアクロスサブフレームスケジューリング情報を決定する動作８０５を含み得る。このクロスキャリアクロスサブフレームスケジューリング情報は、免許不要の周波数帯域において生じる下りリンク送信のためのスケジューリング情報及び／又は制御情報を示すことができる。様々な実施形態において、このスケジューリング情報及び／又は制御情報は、免許不要の周波数帯域に関連付けられている無線伝送媒体を予約するためのリクエストを送信することのインジケーションを含み得る。様々な実施形態において、このスケジューリング情報及び／又は制御情報は、免許不要の周波数帯域において下りリンクデータが送信されるインスタンス（例えば、時間）のインジケーションを含み得る。
【００８０】
動作８１０は、認可された周波数帯域においてスケジューリング情報及び／又は制御情報を第１のＵＥに送信することを含み得る。したがって、方法８００は、スケジューリング情報及び／又は制御情報の送信の後に、免許不要の周波数帯域において下りリンクデータを第１のＵＥに送信する動作８２０を含み得る。
【００８１】
いくつかの実施形態において、方法８００は、免許不要の周波数帯域に関連付けられている無線伝送媒体が空いているかどうかを示す、第１のＵＥから受信されたメッセージを処理する動作８１５を含み得る。様々な実施形態において、このメッセージは、第１のＵＥによる媒体の感知の実行に関連付けられている情報（例えば、ＣＣＡの実行に関連付けられているフィードバック）を含み得る。動作８１５は、第１のＵＥへの下りリンクデータの送信のために、免許不要の周波数帯域に関連付けられている媒体が空いているかどうかを判定すること、及び／又は、第１のＵＥへの下りリンクデータの送信に先立って、第１のＵＥが、媒体を予約するためのメッセージを送信することになるとみなすこと、に関連する動作を含み得る。１つの実施形態において、このメッセージは、第１のＵＥが、媒体を予約するためにメッセージ（例えば、ＣＴＳメッセージ）を送信した又は送信するというインジケーションを含み得る。
【００８２】
様々な実施形態において、動作８２０は、動作８１５に基づき得る。例えば、動作８２０は、免許不要の周波数帯域に関連付けられている無線伝送媒体が空いていることを示すメッセージが動作８１５において処理されるまで、遅延され得る。
【００８３】
次に図９を参照すると、ブロック図は、様々な実施形態に従った例示的なコンピューティングデバイス９００を示している。本明細書で説明した図１のｅＮＢ１０５及び／又はＵＥ１３０、１３５のうちの１つのＵＥは、コンピューティングデバイス９００等のコンピューティングデバイス上に実装され得る。さらに、コンピューティングデバイス９００は、図７を参照して説明した方法７００及び／又は図８を参照して説明した図８の１以上の動作を実行するよう適合され得る。コンピューティングデバイス９００は、複数のコンポーネント、１以上のプロセッサ９０４、及び１以上の通信チップ９０６を含み得る。実施形態に応じて、上記の列挙したコンポーネントのうちの１以上は、処理回路、通信回路等といった、コンピューティングデバイス９００の「回路」を含み得る。様々な実施形態において、１以上のプロセッサ９０４の各々は、プロセッサコアであり得る。様々な実施形態において、１以上の通信チップ９０６は、１以上のプロセッサ９０４に物理的及び電気的に接続され得る。さらなる実施形態において、通信チップ９０６は、１以上のプロセッサ９０４の一部であり得る。様々な実施形態において、コンピューティングデバイス９００は、プリント回路基板（「ＰＣＢ」）９０２を含み得る。これらの実施形態に関して、１以上のプロセッサ９０４及び通信チップ９０６は、ＰＣＢ９０２上に設けられ得る。代替実施形態において、様々なコンポーネントは、ＰＣＢ９０２の使用なく接続されてもよい。
【００８４】
用途に応じて、コンピューティングデバイス９００は、ＰＣＢ９０２に物理的及び電気的に接続されることもあるし接続されないこともある他のコンポーネントを含み得る。これらの他のコンポーネントは、揮発性メモリ（例えば、「ＤＲＡＭ」とも呼ばれるダイナミックランダムアクセスメモリ９０８）、不揮発性メモリ（例えば、「ＲＯＭ」とも呼ばれる読み取り専用メモリ９１０）、フラッシュメモリ９１２、入力／出力（Ｉ／Ｏ）コントローラ９１４、デジタル信号プロセッサ（図示せず）、暗号プロセッサ（図示せず）、グラフィックスプロセッサ９１６、１以上のアンテナ９１８、ディスプレイ（図示せず）、タッチスクリーンディスプレイ９２０、タッチスクリーンコントローラ９２２、バッテリ９２４、オーディオコーデック（図示せず）、ビデオコーデック（図示せず）、全地球航法衛星システム９２８、コンパス９３０、加速度計（図示せず）、ジャイロスコープ（図示せず）、スピーカ９３２、カメラ９３４、１以上のセンサ９３６（例えば、気圧計、ガイガーカウンタ、温度計、粘度計、レオメータ、高度計、又は、様々な製造環境において見つけることができる若しくは他の用途において使用することができる他のセンサ）、大容量記憶デバイス（例えば、ハードディスクドライブ、ソリッドステートドライブ、コンパクトディスク及びドライブ、デジタル多用途ディスク及びドライブ等）（図示せず）等を含むが、これらに限定されるものではない。様々な実施形態において、１以上のプロセッサ９０４は、システムオンチップ（「ＳＯＣ」）を形成するために、他のコンポーネントとともに同じダイ上に統合され得る。
【００８５】
様々な実施形態において、揮発性メモリ（例えば、ＤＲＡＭ９０８）、不揮発性メモリ（例えば、ＲＯＭ９１０）、フラッシュメモリ９１２、及び大容量記憶デバイス（図示せず）は、本明細書に記載の方法及びデータ交換を実施するために使用されるコンピューティングデバイス９００の実施形態に応じて、１以上のプロセッサ９０４による実行に応答してコンピューティングデバイス９００がそのような方法及びデータ交換の全ての又は選択された態様を実施することを可能にするよう構成されているプログラミング命令を含み得る。より詳細には、メモリコンポーネント（例えば、ＤＲＡＭ９０８、ＲＯＭ９１０、フラッシュメモリ９１２、及び大容量記憶デバイス）のうちの１以上は、本明細書に記載の方法及びデータ交換を実施するために使用されるコンピューティングデバイス９００の実施形態に応じて、１以上のプロセッサ９０４により実行されたときにコンピューティングデバイス９００がそのような方法及びデータ交換の全ての又は選択された態様を実施するよう構成されている１以上のモジュール（例えば、制御モジュール９３８）を動作させることを可能にする命令の一時的及び／又は永続的なコピーを含み得る。
【００８６】
通信チップ９０６は、コンピューティングデバイス９００との間のデータの転送のために、有線通信及び／又は無線通信を可能にし得る。「無線」という用語及びその派生形は、非固体媒体を介して変調された電磁放射の使用によりデータを通信することができる回路、デバイス、システム、方法、技術、通信チャネル等を説明するために使用され得る。この用語は、関連するデバイスが有線を含まないことを暗示するものではないが、いくつかの実施形態においては、関連するデバイスは有線を含まないこともある。通信チップ９０６は、複数の無線規格又は無線プロトコルのうちの任意のものを実装することができる。そのような無線規格又は無線プロトコルは、ＬＴＥ、ＬＴＥ−Ａ、ＩＥＥＥ７０２．２０、汎用パケット無線サービス（「ＧＰＲＳ」）、「Ｅｖ−ＤＯ（evolution  data  optimized）」、進化型高速パケットアクセス（「ＨＳＰＡ＋」）、進化型高速下りリンクパケットアクセス（「ＨＳＤＰＡ＋」）、進化型高速上りリンクパケットアクセス（「ＨＳＵＰＡ＋」）、「ＧＳＭ（登録商標）（global  system  for  mobile  communications）」、「ＥＤＧＥ（enhanced  data  rates  for  GSM（登録商標）  evolution）」、符号分割多元接続（「ＣＤＭＡ」）、時分割多元接続（「ＴＤＭＡ」）、「ＤＥＣＴ（digital  enhanced  cordless  telecommunications）」、Ｂｌｕｅｔｏｏｔｈ（登録商標）、これらの派生形に加えて、３Ｇ、４Ｇ、５Ｇ、及びこれらを超えるものとして表される他の無線プロトコルを含むが、これらに限定されるものではない。コンピューティングデバイス９００は、異なる通信機能を実行するよう適合されている複数の通信チップ９０６を含み得る。例えば、第１の通信チップ９０６は、Ｗｉ−Ｆｉ（登録商標）及びＢｌｕｅｔｏｏｔｈ（登録商標）等のより短距離の無線通信に専用であり得るのに対し、第２の通信チップ９０６は、ＧＰＳ、ＥＤＧＥ、ＧＰＲＳ、ＣＤＭＡ、ＷｉＭＡＸ（登録商標）、ＬＴＥ、ＬＴＥ−Ａ、Ｅｖ−ＤＯ等といったより長距離の無線通信に専用であり得る。
【００８７】
図１０は、いくつかの実施形態に従ったデバイス１０００を示している。デバイス１０００は、図１のｅＮＢ及び／又はＵＥ１３０、１３５のうちの１つのＵＥに類似し得る、又は、図１のｅＮＢ及び／又はＵＥ１３０、１３５のうちの１つＵＥに含まれ得る。デバイス１０００は、処理回路１００２、送信機回路１００５、受信機回路１０１０、通信回路１０１５、及び１以上のアンテナ１０２０を含み得、これらは、少なくとも図示されるように互いに接続される。
【００８８】
簡潔に言うと、通信回路１０１５は、デバイス１０００へ／からの信号の無線通信を円滑にするために、アンテナ１０２０に接続され得る。通信回路１０１５の動作は、フィルタリング、増幅、記憶、変調、復調、変換等を含み得るが、これらに限定されるものではない。様々な実施形態において、通信回路１０１５は、複数の異なる回路（例えば、無線機）を含み得る。これらの通信回路のうちの第１の通信回路は、第１の周波数帯域（例えば、ＬＴＥに準拠した周波数帯域）における通信用に適合され得る。これらの通信回路のうちの別の通信回路は、別の周波数帯域（例えば、免許不要の周波数帯域）における通信用に適合され得る。いくつかの実施形態において、処理回路１００２は、周波数帯域データの送信及び／又は受信を制御することができる。
【００８９】
送信機回路１００５は、通信回路１０１５に接続され得、アンテナ１０２０を介する送信のために、通信回路１０１５に信号を供給するよう構成され得る。様々な実施形態において、送信機回路１００５は、適切な特性を有する信号を通信回路１０１５に供給するために、信号に対して様々な信号処理動作を提供するよう構成され得る。いくつかの実施形態において、送信機回路１００５は、信号を生成するよう適合され得る。さらに、送信機回路１００５は、通信回路１０１５による送信の前に、様々な信号をスクランブル、多重化、及び／又は変調するよう適合され得る。
【００９０】
受信機回路１０１０は、通信回路１０１５に接続され得、通信回路１０１５から信号を受信するよう構成され得る。いくつかの実施形態において、受信機回路１０１０は、信号を生成するよう適合され得る。さらに、受信機回路１０１０は、通信回路１０１５による受信の後に、様々な信号をデスクランブル、逆多重化、及び／又は復調するよう適合され得る。
【００９１】
処理回路１００２は、送信機回路１００５、受信機回路１０１０、及び／又は通信回路１０１５に接続され得る。処理回路１００２は、ｅＮＢ及び／又はＵＥに関して本明細書で説明した動作を実行するよう適合され得る。いくつかの実施形態において、処理回路１００２は、例えばｅＮＢ及び／又はＵＥとの間で、無線で送信されるデータを生成、処理、及び／又は操作するよう適合され得る。
【００９２】
通信回路１０１５、送信機回路１００５、及び／又は受信機回路１０１０の一部又は全ては、例えば、図９を参照して説明した通信チップに含まれ得る、且つ／又は、図９を参照して説明したプリント回路基板に通信可能に接続され得る。
【００９３】
様々な実施形態において、例１は、進化型ノードＢ（ｅＮＢ）から、第１の周波数帯域において、前記ｅＮＢからの下りリンク送信に関連付けられているスケジューリング情報を受信する受信機回路と、前記受信機回路に接続されている処理回路であって、空きチャネル判定（ＣＣＡ）を実行して、第２の周波数帯域に関連付けられている無線伝送媒体が空いているかどうかを判定し、前記の実行されたＣＣＡ及び前記の受信されたスケジューリング情報に基づく送信許可（ＣＴＳ）メッセージを生成する処理回路と、前記受信機回路に接続されている送信機回路であって、前記第２の周波数帯域に関連付けられている前記無線伝送媒体を予約するために、前記第２の周波数帯域において、前記の生成されたＣＴＳメッセージを送信する送信機回路と、を備えるユーザ機器（ＵＥ）回路を含み得る。例２は、例１のＵＥ回路を含み得、前記第１の周波数帯域は、ロングタームエボリューション（ＬＴＥ）に関連付けられており、前記第２の周波数帯域は、免許不要である。例３は、例１のＵＥ回路を含み得、前記送信機回路は、無線ローカルエリアネットワーク（ＷＬＡＮ）において、前記の生成されたＣＴＳメッセージを１以上のＷＬＡＮ送信機にブロードキャストする。例４は、例１のＵＥ回路を含み得、前記受信機回路は、前記スケジューリング情報に基づいて、前記第２の周波数帯域において前記ｅＮＢから下りリンクデータを受信する。例５は、例１〜４のうちのいずれかのＵＥ回路を含み得、前記処理回路は、前記送信機回路が前記の生成されたＣＴＳメッセージを送信する前に、前記第２の周波数帯域に関連付けられている前記無線伝送媒体が空いていることを示す確認応答メッセージを生成し、前記送信機回路は、前記第１の周波数帯域において前記確認応答メッセージを前記ｅＮＢに送信する。例６は、例１〜４のうちのいずれかのＵＥ回路を含み得、前記処理回路は、前記ＣＣＡの実行からの少なくとも１つの値を含む確認応答メッセージを生成し、前記送信機回路は、前記第１の周波数帯域において前記確認応答メッセージを前記ｅＮＢに送信する。例７は、例６のＵＥ回路を含み得、前記処理回路は、前記ＣＴＳメッセージの送信の前に、前記送信機回路に前記確認応答メッセージを送信させる。例８は、例１〜４のうちのいずれかのＵＥ回路を含み得、前記処理回路は、受信側アドレス値及び継続時間値を含む前記ＣＴＳメッセージを生成する。例９は、例８のＵＥ回路を含み得、前記受信側アドレス値及び前記継続時間値のうちの少なくとも１つは、前記ｅＮＢから受信された前記スケジューリング情報に基づく。例１０は、例１〜４のうちのいずれかのＵＥ回路を含み得、前記処理回路は、前記スケジューリング情報により示された時間に、前記送信機回路に前記ＣＴＳメッセージを送信させる。
【００９４】
様々な実施形態において、例１１は、免許不要の周波数帯域に関連付けられている無線伝送媒体の予約のためのスケジューリング情報を含むメッセージを生成し、前記免許不要の周波数帯域においてユーザ機器（ＵＥ）に送信される下りリンクデータを決定する処理回路と、前記処理回路に接続されている送信機回路であって、認可された周波数帯域において前記メッセージを前記ＵＥに送信し、前記スケジューリング情報の送信の後に、前記免許不要の周波数帯域において前記下りリンクデータを前記ＵＥに送信する送信機回路と、を備える進化型ノードＢ（ｅＮＢ）回路を含み得る。例１２は、例１１のｅＮＢ回路を含み得、前記認可された周波数帯域は、ロングタームエボリューション（ＬＴＥ）に関連付けられている。例１３は、例１１のｅＮＢ回路を含み得、前記処理回路は、前記免許不要の周波数帯域に関連付けられている前記無線伝送媒体が空いているというインジケーションなく、前記送信機回路に前記下りリンクデータを前記ＵＥに対して送信させる。例１４は、例１１のｅＮＢ回路を含み得、前記処理回路に接続されている受信機回路であって、前記認可された周波数帯域において、前記免許不要の周波数帯域に関連付けられている前記無線伝送媒体が空いているかどうかを示す確認応答メッセージを受信する受信機回路をさらに備え、前記処理回路は、前記確認応答メッセージに基づいて、前記送信機回路に前記下りリンクデータを前記ＵＥに対して送信させる。例１５は、例１４のｅＮＢ回路を含み得、前記確認応答メッセージは、空きチャネル判定（ＣＣＡ）からの少なくとも１つの値を含む。例１６は、例１４のｅＮＢ回路を含み得、前記確認応答メッセージは、前記下りリンクデータが送信される先の前記ＵＥとは異なるＵＥから受信される。例１７は、例１１〜１６のうちのいずれかのｅＮＢ回路を含み得、前記処理回路は、受信側アドレスと、前記免許不要の周波数帯域に関連付けられている前記無線伝送媒体が予約される継続時間と、のうちの少なくとも１つのインジケーションを含める。例１８は、例１１〜１６のうちのいずれかのｅＮＢ回路を含み得、前記処理回路は、前記ＵＥが、前記免許不要の周波数帯域に関連付けられている前記無線伝送媒体を予約するためのリクエストを送信する時間のインジケーションを、前記スケジューリング情報に含める。例１９は、例１１〜１６のうちのいずれかのｅＮＢ回路を含み得、前記送信機回路は、前記スケジューリング情報を複数のＵＥに送信し、前記処理回路は、前記複数のＵＥが、前記無線伝送媒体を予約するためのそれぞれのリクエストを順次に送信するか又は同時に送信するかのインジケーションを含める。
【００９５】
例２０は、コンピュータ実行可能な命令を含む１以上の非一時的なコンピュータ読み取り可能な媒体であって、前記命令は、ユーザ機器（ＵＥ）による実行に応答して、前記ＵＥに、認可された周波数帯域において進化型ノードＢ（ｅＮＢ）から受信されたスケジューリング情報を処理させ、媒体感知を実行させて、免許不要の周波数帯域に関連付けられている無線伝送媒体が空いているかどうかを判定させ、前記スケジューリング情報に基づいて、前記無線伝送媒体を予約するためのリクエストを生成させ、前記媒体感知の実行に基づいて、前記無線伝送媒体を予約するために、前記免許不要の周波数帯域において前記リクエストを送信させる、１以上の非一時的なコンピュータ読み取り可能な媒体を含み得る。例２１は、例２０の１以上の非一時的なコンピュータ読み取り可能な媒体を含み得、前記命令は、前記ＵＥに、さらに、前記媒体感知の実行に基づくメッセージを生成させ、フィードバックメッセージを前記ｅＮＢに対して送信させる。例２２は、例２１の１以上の非一時的なコンピュータ読み取り可能な媒体を含み得、前記命令は、前記リクエストの送信の前に、前記メッセージを生成させる。例２３は、例２１の１以上の非一時的なコンピュータ読み取り可能な媒体を含み得、前記命令は、前記リクエストの送信の前に、前記メッセージを送信させる。
【００９６】
例２４は、コンピュータ実行可能な命令を含む１以上の非一時的なコンピュータ読み取り可能な媒体であって、前記命令は、進化型ノードＢ（ｅＮＢ）による実行に応答して、前記ｅＮＢに、免許不要の周波数帯域に関連付けられている無線伝送媒体における下りリンクデータの送信に関連付けられるスケジューリング情報を決定させ、認可された周波数帯域において前記スケジューリング情報を第１のユーザ機器（ＵＥ）に対して送信させ、前記スケジューリング情報の送信の後に、前記免許不要の周波数帯域において下りリンクデータを第２のＵＥに対して送信させる、１以上の非一時的なコンピュータ読み取り可能な媒体を含み得る。例２５は、例２４の１以上の非一時的なコンピュータ読み取り可能な媒体を含み得、前記下りリンクデータの送信は、前記無線伝送媒体が予約されたことを示す、前記第１のＵＥ又は前記第２のＵＥからのメッセージに基づくのではなく、前記無線伝送媒体が予約されたというみなし（assumption）に基づく。
【００９７】
例２６は、ユーザ機器（ＵＥ）により実行される方法であって、進化型ノードＢ（ｅＮＢ）から、第１の周波数帯域において、前記ｅＮＢからの下りリンク送信に関連付けられているスケジューリング情報を受信するステップと、空きチャネル判定（ＣＣＡ）を実行して、第２の周波数帯域に関連付けられている無線伝送媒体が空いているかどうかを判定するステップと、前記ＣＣＡ及び前記の受信されたスケジューリング情報に基づく送信許可（ＣＴＳ）メッセージを生成するステップと、前記第２の周波数帯域に関連付けられている前記無線伝送媒体を予約するために、前記第２の周波数帯域において、前記の生成されたＣＴＳメッセージを送信するステップと、を含む方法を含み得る。例２７は、例２６の方法を含み得、前記スケジューリング情報に基づいて、前記第２の周波数帯域において前記ｅＮＢから下りリンクデータを受信するステップをさらに含む。例２８は、例２６又は２７の方法を含み得、前記の生成されたＣＴＳメッセージの送信の前に、前記第２の周波数帯域に関連付けられている前記無線伝送媒体が空いていることを示す確認応答メッセージを生成するステップと、前記第１の周波数帯域において前記確認応答メッセージを前記ｅＮＢに送信するステップと、をさらに含む。例２９は、例２６又は２７の方法を含み得、前記ＣＣＡからの少なくとも１つの値を含むメッセージを生成するステップと、前記第２の周波数帯域において前記ＣＴＳメッセージを送信する前に、前記第１の周波数帯域において前記メッセージを前記ｅＮＢに送信するステップと、をさらに含む。
【００９８】
例３０は、ユーザ機器（ＵＥ）に含まれる装置であって、進化型ノードＢ（ｅＮＢ）から、第１の周波数帯域において、前記ｅＮＢからの下りリンク送信に関連付けられているスケジューリング情報を受信する手段と、空きチャネル判定（ＣＣＡ）を実行して、第２の周波数帯域に関連付けられている無線伝送媒体が空いているかどうかを判定する手段と、前記ＣＣＡ及び前記の受信されたスケジューリング情報に基づく送信許可（ＣＴＳ）メッセージを生成する手段と、前記第２の周波数帯域に関連付けられている前記無線伝送媒体を予約するために、前記第２の周波数帯域において、前記の生成されたＣＴＳメッセージを送信する手段と、を備える装置を含み得る。例３１は、例３０の装置を含み得、前記スケジューリング情報に基づいて、前記第２の周波数帯域において前記ｅＮＢから下りリンクデータを受信する手段をさらに備える。例３２は、例３０又は３１の装置を含み得、前記の生成されたＣＴＳメッセージの送信の前に、前記第２の周波数帯域に関連付けられている前記無線伝送媒体が空いていることを示す確認応答メッセージを生成する手段と、前記第１の周波数帯域において前記確認応答メッセージを前記ｅＮＢに送信する手段と、をさらに備える。例３３は、例３０又は３１の装置を含み得、前記ＣＣＡからの少なくとも１つの値を含むメッセージを生成する手段と、前記第２の周波数帯域において前記ＣＴＳメッセージを送信する前に、前記第１の周波数帯域において前記メッセージを前記ｅＮＢに送信する手段と、をさらに備える。
【００９９】
例３４は、進化型ノードＢ（ｅＮＢ）により実行される方法であって、免許不要の周波数帯域に関連付けられている無線伝送媒体の予約のためのスケジューリング情報を含むメッセージを生成するステップと、前記免許不要の周波数帯域においてユーザ機器（ＵＥ）に送信される下りリンクデータを決定するステップと、認可された周波数帯域において前記メッセージを前記ＵＥに送信するステップと、前記スケジューリング情報の送信の後に、前記免許不要の周波数帯域において前記下りリンクデータを前記ＵＥに送信するステップと、を含む方法を含み得る。例３５は、例３４の方法を含み得、前記免許不要の周波数帯域における前記ＵＥへの前記下りリンクデータの送信は、前記免許不要の周波数帯域に関連付けられている前記無線伝送媒体が空いているという、前記ＵＥから受信されるインジケーションに基づくものではない。例３６は、例３４の方法を含み得、前記認可された周波数帯域において、前記免許不要の周波数帯域に関連付けられている前記無線伝送媒体が空いているかどうかを示す確認応答メッセージを受信するステップをさらに含み、前記ＵＥへの前記下りリンクデータの送信は、前記確認応答メッセージに基づく。例３７は、例３６の方法を含み得、前記確認応答メッセージは、空きチャネル判定（ＣＣＡ）からの少なくとも１つの値を含む。
【０１００】
例３８は、進化型ノードＢ（ｅＮＢ）に含まれる装置であって、免許不要の周波数帯域に関連付けられている無線伝送媒体の予約のためのスケジューリング情報を含むメッセージを生成する手段と、前記免許不要の周波数帯域においてユーザ機器（ＵＥ）に送信される下りリンクデータを決定する手段と、認可された周波数帯域において前記メッセージを前記ＵＥに送信する手段と、前記スケジューリング情報の送信の後に、前記免許不要の周波数帯域において前記下りリンクデータを前記ＵＥに送信する手段と、を備える装置を含み得る。例３９は、例３８の装置を含み得、前記免許不要の周波数帯域において前記下りリンクデータを前記ＵＥに送信する前記手段は、前記免許不要の周波数帯域に関連付けられている前記無線伝送媒体が空いているという、前記ＵＥから受信されるインジケーションに基づいて前記下りリンクデータを送信するのではない。例４０は、例３８の装置を含み得、前記認可された周波数帯域において、前記免許不要の周波数帯域に関連付けられている前記無線伝送媒体が空いているかどうかを示す確認応答メッセージを受信する手段をさらに備え、前記下りリンクデータを前記ＵＥに送信する前記手段は、前記確認応答メッセージに基づいて前記下りリンクデータを送信する。
【０１０１】
前述の詳細な説明のいくつかの部分は、コンピュータメモリ内のデータビットに対するアルゴリズム及びシンボル表現の観点で提示されている。このようなアルゴリズムの記載及び表現は、データ処理分野における当業者により使用される、それら当業者の研究内容を他の当業者に最も効率的に伝えるための方法である。ここで、アルゴリズムとは、一般に、所望の結果をもたらす自己矛盾のない一連の動作であると考えられる。これらの動作は、物理量の物理的操作を要する動作である。
【０１０２】
しかしながら、これらの用語及び同様の用語の全ては、適切な物理量に関連付けられるべきであり、これらの物理量に付与される便宜的なラベルに過ぎないことに留意されたい。上記説明から明らかなように別途明示されない限り、本説明を通じて、特許請求の範囲に記載される用語等の用語を用いた説明は、コンピュータシステムのレジスタ及びメモリ内の物理（電子）量として表現されたデータを、コンピュータシステムメモリ若しくはレジスタ、又は、他のそのような情報記憶デバイス、送信デバイス、若しくはディスプレイデバイス内の物理量として同様に表現される他のデータに操作及び変換するコンピュータシステム又は同様の電子コンピューティングデバイスの動作及びプロセスを指す。
【０１０３】
本発明の実施形態はまた、本明細書における動作を実行するための装置に関する。そのようなコンピュータプログラムは、非一時的なコンピュータ読み取り可能な媒体に記憶される。マシン読み取り可能な媒体は、マシン（例えば、コンピュータ）により読み取り可能な形式で情報を記憶するための任意のメカニズムを含む。例えば、マシン読み取り可能な媒体（例えば、コンピュータ読み取り可能な媒体）は、マシン読み取り可能な記憶媒体（例えば、コンピュータ読み取り可能な記憶媒体）（例えば、読み取り専用メモリ（「ＲＯＭ」）、ランダムアクセスメモリ（「ＲＡＭ」）、磁気ディスク記憶媒体、光記憶媒体、フラッシュメモリデバイス）を含む。
【０１０４】
前述の図面に示されるプロセス又は方法は、ハードウェア（例えば、回路、専用ロジック等）、ソフトウェア（例えば、非一時的なコンピュータ読み取り可能な媒体上に具現化されるもの）、又はこれら２つの組合せを含む処理ロジックにより実行され得る。上記プロセス又は方法は、いくつかの順次の動作の観点で上記で説明されているが、説明した動作のうちのいくつかは、異なる順番で実行されることもあることを理解されたい。さらに、いくつかの動作は、順次にではなく、並列に実行されることもある。
【０１０５】
本発明の実施形態は、特定のプログラミング言語に言及して説明されてはいない。様々なプログラミング言語を使用して、本明細書で説明した、本発明の実施形態の教示を実装することができることが理解されよう。本明細書において、本発明の実施形態は、特定の例示的な実施形態を参照して説明されている。特許請求の範囲に記載される本発明のより広範な主旨及び範囲から逸脱することなく、様々な変更が可能であることが明らかであろう。したがって、本明細書及び図面は、限定ではなく例示と考えられるべきである。
【図１】
0006275867.tif 000002
【図２】
0006275867.tif 000003
【図３】
0006275867.tif 000004
【図４】
0006275867.tif 000005
【図５】
0006275867.tif 000006
【図６】
0006275867.tif 000007
【図７】
0006275867.tif 000008
【図８】
0006275867.tif 000009
【図９】
0006275867.tif 000010
【図１０】
0006275867.tif 000011